(57)【要約】【課題】被覆材の損傷を抑制できるカバーを提供すること。【解決手段】カバーは、被覆材を有するパイプを覆う。カバーは、本体部と、壁部と、少なくとも１つのリブとを備える。本体部は半割れ円筒状の形態を有する。壁部は、前記本体部の軸方向における端部から内周方向に延びる。壁部は、前記被覆材の外周面に食い込むＵ字状の内周縁を有する。リブは、前記本体部の裏面のうち、前記壁部側に設けられている。リブは、前記本体部の軸方向に沿って延びる。カバーは、複数のリブを備えることが好ましい。複数のリブは、例えば、本体部の周方向に沿って、所定間隔をおいて設けられている。【選択図】図６
2020056494.tif 000002
【特許請求の範囲】
【請求項１】
被覆材を有するパイプを覆うカバーであって、
半割れ円筒状の本体部と、
前記本体部の軸方向における端部から内周方向に延びる壁部であって、前記被覆材の外周面に食い込むＵ字状の内周縁を有する壁部と、
前記本体部の裏面のうち、前記壁部の側に設けられ、前記本体部の軸方向に沿って延びる少なくとも１つのリブと、
を備えるカバー。
【請求項２】
請求項１に記載のカバーであって、
複数の前記リブが、前記本体部の周方向に沿って、所定間隔をおいて設けられているカバー。
【発明の詳細な説明】
【技術分野】
【０００１】
本開示はカバーに関する。
【背景技術】
【０００２】
被覆材を有するパイプを覆うカバーが特許文献１に開示されている。カバーは、本体部と、壁部とを備える。本体部は半割れ円筒状の形状を有する。壁部は、本体部の軸方向における端部から内周方向に延びる。壁部はＵ字状の内周縁を有する。
【先行技術文献】
【特許文献】
【０００３】
【特許文献１】特許第６３５０８４６号公報
【発明の概要】
【発明が解決しようとする課題】
【０００４】
カバーによりパイプを被覆したとき、パイプは内周縁の内側を通る。内周縁は被覆材の外周面に食い込む。パイプ及びカバーの施工の状況によっては、内周縁が被覆材に強く押し付けられることがある。この場合、被覆材が損傷するおそれがある。本開示の一局面は、被覆材の損傷を抑制できるカバーを提供することを目的とする。
【課題を解決するための手段】
【０００５】
本開示の一局面は、被覆材を有するパイプを覆うカバーであって、半割れ円筒状の本体部と、前記本体部の軸方向における端部から内周方向に延びる壁部であって、前記被覆材の外周面に食い込むＵ字状の内周縁を有する壁部と、前記本体部の裏面のうち、前記壁部の側に設けられ、前記本体部の軸方向に沿って延びる少なくとも１つのリブと、を備えるカバーである。
【０００６】
本開示の一局面であるカバーは少なくとも１つのリブを備える。リブは、内周縁とともに、被覆材の外周面に押し当てられる。そのため、リブが存在しない場合に比べて、カバーが被覆材に加える力が分散し、内周縁が被覆材に加える力が小さくなる。その結果、被覆材が損傷し難くなる。
【図面の簡単な説明】
【０００７】
【図１】配管システム１の構成を表す斜視図である。
【図２】カバー７、１１、１５、１９、２３、２７、３１を取り外した状態にある配管システム１の構成を表す斜視図である。
【図３】斜め上方から見たカバー５の構成を表す斜視図である。
【図４】カバー５の構成を表す側面図である。
【図５】斜め下方から見たカバー５の構成を表す斜視図である。
【図６】本体部１０１の軸方向に平行であり、施工面３９に直交する断面でのカバー５及びパイプ３の構成を表す断面図である。
【図７】カバー５の構成を表す底面図である。
【図８】図４におけるVIII-VIII断面での断面図である。
【図９】カバー１１の構成を表す平面図である。
【図１０】斜め上方から見たカバー１１の構成を表す斜視図である。
【図１１】カバー１１の構成を表す正面図である。
【図１２】カバー１１の構成を表す側面図である。
【図１３】カバー１１の構成を表す底面図である。
【図１４】斜め下方から見たカバー１１の構成を表す斜視図である。
【図１５】カバー１９の構成を表す平面図である。
【図１６】斜め上方から見たカバー１９の構成を表す斜視図である。
【図１７】カバー１９の構成を表す正面図である。
【図１８】カバー１９の構成を表す側面図である。
【図１９】カバー１９の構成を表す底面図である。
【図２０】斜め下方から見たカバー１９の構成を表す斜視図である。
【図２１】カバー７の構成を表す平面図である。
【図２２】斜め上方から見たカバー７の構成を表す斜視図である。
【図２３】カバー７の構成を表す正面図である。
【図２４】カバー７の構成を表す側面図である。
【図２５】カバー７の構成を表す底面図である。
【図２６】斜め下方から見たカバー７の構成を表す斜視図である。
【図２７】斜め上方であって、端部５１１の側から見たカバー３１の構成を表す斜視図である。
【図２８】カバー３１の構成を表す平面図である。
【図２９】斜め上方であって、端部５１３の側から見たカバー３１の構成を表す斜視図である。
【図３０】端部５１１の側から見たカバー３１の構成を表す説明図である。
【図３１】カバー３１の構成を表す側面図である。
【図３２】端部５１３の側から見たカバー３１の構成を表す説明図である。
【図３３】斜め下方であって、端部５１１の側から見たカバー３１の構成を表す斜視図である。
【図３４】カバー３１の構成を表す底面図である。
【図３５】斜め下方であって、端部５１３の側から見たカバー３１の構成を表す斜視図である。
【図３６】別形態のカバー１１及びカバー９の構成を表す斜視図である。
【図３７】別形態のカバー１１及びカバー９の構成を表す側面図である。
【図３８】斜め上方から見た別形態のカバー１１の構成を表す斜視図である。
【図３９】別形態のカバー１１の構成を表す底面図である。
【図４０】斜め下方から見た別形態のカバー１１の構成を表す斜視図である。
【発明を実施するための形態】
【０００８】
本開示の例示的な実施形態を、図面を参照しながら説明する。
１．配管システム１の構成
配管システム１の構成を、図１、図２に基づき説明する。配管システム１は、パイプ３と、パイプ３を覆うカバー５、７、９、１１、１３、１５、１７、１９、２１、２３、２５、２７、２９、３１と、洗濯機用コンセント３３と、水栓３５と、を備える。パイプ３は、施工面３７、３９、４１に沿って配置されている。施工面３７、３９は入隅を構成する。施工面３９、４１は出隅を構成する。カバー５、７、９、１１、１３、１５、１７、１９、２１、２３、２５、２７、２９、３１と、洗濯機用コンセント３３とは樹脂から成る。
【０００９】
カバー９、１３、１７、２１、２５、２９は、それぞれ、半割れ円筒状の本体部と、本体部における側方の端部から外側に向けて延出されたフランジとを備える基本形態を有する。カバー９、１７、２５、２９は、直線状に延びる形態を有する。カバー１３は、Ｔ字状に分岐した形態を有する。カバー２１は、Ｌ字状に屈曲した形態を有する。カバー２１は、施工面３９と施工面４１とから成る出隅に配置されている。
【００１０】
カバー９、１３、１７、２１、２５、２９の本体部は、パイプ３を外側から覆う。パイプ３は、カバー９、１３、１７、２１、２５、２９の本体部と、いずれかの施工面とによって挟まれる。カバー９、１３、１７、２１、２５、２９のフランジは、いずれかの施工面に取り付けられる。
カバー５、７、１１、１５、１９、２３、２７、３１の構成は後述する。洗濯機用コンセント３３は直方体の箱状の基本形態を有する。洗濯機用コンセント３３は、水栓３５と、その水栓３５に接続したパイプ３の一部とを収容する。洗濯機用コンセント３３は、その側壁の一つに、Ｕ字形状の開口部４３を備える。水栓３５に接続したパイプ３は、開口部４３から引き出されている。
【００１１】
２．カバー５について
（２−１）カバー５の構成
カバー５の構成を、図３〜図８に基づき説明する。カバー５は、本体部１０１と、壁部１０３と、フランジ１０５と、リブ１０７、１０９と、を備える。
【００１２】
図３に示すように、本体部１０１は、半割れ円筒状の形態を有する。図３〜図５に示すように、本体部１０１の高さは、本体部１０１の軸方向における一方の端部１１１から、反対側の端部１１３にゆくにつれて増している。端部１１１の近傍では、本体部１０１の高さの変化は緩やかになっている。本体部１０１における側面側の端部１１５と、端部１１３とが接続する接続部１１７の形状は円弧状である。
【００１３】
図３、図４、図６に示すように、壁部１０３は、端部１１１から、本体部１０１の内周方向に延びる。壁部１０３の内周縁１１９の形状はＵ字状である。図３に示すように、壁部１０３のうち、Ｕ字の出口に該当する出口部１２１では、内周縁１１９の幅が狭まっている。
【００１４】
図４に示すように、側面視において、壁部１０３は傾斜している。傾斜の方向は、壁部１０３上で高さが増すほど、端部１１３に近づく方向である。
図３、図４、図５に示すように、フランジ１０５は、端部１１５、端部１１３、及び接続部１１７から、本体部１０１の外側方向に延びている。フランジ１０５のうち、端部１１５に接続する部分を第１部１０５Ａとする。フランジ１０５のうち、端部１１３に接続する部分を第２部１０５Ｂとする。第１部１０５Ａは２部１０５Ｂに対し直交する。フランジ１０５のうち、第１部１０５Ａと第２部１０５Ｂとを接続する部分を第３部１０５Ｃとする。第３部１０５Ｃは、接続部１１７に沿って延び、曲面形状を有する。
【００１５】
フランジ１０５は、延出部１０５Ｄを備える。延出部１０５Ｄは、第３部１０５Ｃにおける外側の端部から、第３部１０５Ｃに直交する方向に延びる板状の部材である。側面視において、図４に示すように、延出部１０５Ｄは、第３部１０５Ｃと接続する曲線の辺１２３と、第１部１０５Ａを外挿した直線上にある辺１２５と、第２部１０５Ｂを外挿した直線上にある辺１２７とを備える部材である。延出部１０５Ｄの板厚は、辺１２５と辺１２７とから成る頂点１２９に近づくほど、薄くなる。図３に示すように、フランジ１０５には、ビス打ち目安用の凹部１３０が複数形成されている。ビス打ち目安用の凹部１３０の代わりに、フランジ１０５を貫通するビス孔を複数形成してもよい。
【００１６】
図６、図７、図８に示すように、リブ１０７、１０９は、本体部１０１の裏面に設けられている。リブ１０７、１０９の位置は、本体部１０１の軸方向において、壁部１０３の側である。リブ１０７、１０９は壁部１０３に接続している。リブ１０７、１０９は、それぞれ、本体部１０１の軸方向に沿って延びている。
【００１７】
リブ１０７、１０９の位置は、本体部１０１の周方向において、第１部１０５Ａが接する施工面と対向する位置である。リブ１０７、１０９は、本体部１０１の周方向に沿って、所定の間隔をおいて設けられている。リブ１０７、１０９の高さは、壁部１０３の側では、壁部１０３の高さと等しい。リブ１０７、１０９の高さは、端部１１３の側では、端部１１３に近づくほど、低くなっている。
【００１８】
（２−２）カバー５の使用方法
図６に示すように、カバー５は、施工面３７と施工面３９とから成る入隅に取り付けられる。第１部１０５Ａ及び辺１２５は施工面３９に当接する。第２部１０５Ｂ及び辺１２７は施工面３７に当接する。ビス孔１３０を通したビスを施工面３７と施工面３９とに打ち込むことで、カバー５を固定することができる。
【００１９】
施工面３７に孔１３１が形成されている。孔１３１からパイプ３が引き出されている。孔１３１から引き出されたパイプ３は、端部１１３の側からカバー５の内部に入り、端部１１１の側から、内周縁１１９の内側を通り、カバー５の外部に引き出される。パイプ３は、その外周側に被覆材１３３を備える。
【００２０】
孔１３１を通るパイプ３の位置は、内周縁１１９の内側を通るパイプ３の位置より高い。そのため、カバー５の内部にあるパイプ３は、施工面３９の方向に曲げられている。カバー５の内部にあるパイプ３には、施工面３９から離れる方向への復元力が生じている。そのため、パイプ３は、内周縁１１９のうち、施工面３９に対向する部分（以下では対向部１１９Ａとする）と、リブ１０７、１０９とに押し当てられる。対向部１１９Ａは、被覆材１３３の外周面に食い込む。
【００２１】
（２−３）カバー５が奏する効果
(i)カバー５はリブ１０７、１０９を備える。リブ１０７、１０９は、対向部１１９Ａとともに、被覆材１３３の外周面に押し当てられる。そのため、リブ１０７、１０９が存在しない場合に比べて、カバー５が被覆材１３３に加える力が分散し、対向部１１９Ａが被覆材１３３に加える力が小さくなる。その結果、被覆材１３３が破れ難くなる。
【００２２】
(ii)複数のリブ１０７、１０９が、本体部１０１の周方向に沿って、所定間隔をおいて設けられている。そのため、カバー５が被覆材１３３に加える力が一層分散し、被覆材１３３が一層破れ難くなる。
【００２３】
（２−４）変形例
リブの枚数は２以外であってもよい。例えば、リブの枚数は、１、３、４、５・・・であってもよい。本体部１０１の高さは、軸方向において一定であってもよい。
【００２４】
３．カバー１１、１５、２７について
（３−１）カバー１１の構成
カバー１１、１５、２７は同様の構成を有する。以下では、図９〜図１４に基づき、カバー１１の構成を説明する。カバー１１は、本体部２０１と、フランジ２０３、２０５と、を備える。本体部２０１は、半割れ円筒状の形態を有する。本体部２０１の高さは、本体部２０１の軸方向における一方の端部２１１から、反対側の端部２１３まで、一定である。本体部２０１は、端部２１３側の角に薄肉部２１５を備えている。薄肉部２１５は、本体部２０１の裏面を一段掘り下げた形状を有する。薄肉部２１５の板厚は、本体部２０１の他の部分の板厚より小さい。本体部２０１における角の板厚方向から見て、薄肉部２１５の形状は直角三角形状である。
【００２５】
フランジ２０３は、本体部２０１における一方の側面側の端部から、外側に延びている。フランジ２０５は、本体部２０１における前記一方とは反対の側面側の端部から、外側に延びている。本体部２０１の軸方向において、フランジ２０３、２０５の長さは、本体部２０１の長さより小さい。本体部２０１の軸方向において、フランジ２０３、２０５の位置は、本体部２０１の中央である。
【００２６】
フランジ２０３、２０５は、その底面のうち、外側の部分に、立設部２０７を備える。立設部２０７は、カバー１１を取り付ける施工面に向かって延びている。
フランジ２０３、２０５は、本体部２０１の軸方向における一方の端部に、薄肉部２０９を備える。薄肉部２０９は、フランジ２０３、２０５の底面を一段掘り下げた形状を有する。薄肉部２０９の板厚は、フランジ２０３、２０５の他の部分の板厚より小さい。薄肉部２０９は、立設部２０７の内側にも形成されている。フランジ２０３、２０５の板厚方向から見て、薄肉部２０９の形状は矩形である。フランジ２０３、２０５には、ビス打ち目安用の凹部２３０が形成されている。ビス打ち目安用の凹部２３０は複数形成されていてもよい。ビス打ち目安用の凹部２３０の代わりに、フランジ２０３、２０５を貫通するビス孔を形成してもよい。
【００２７】
（３−２）カバー１１の施工方法
図１、図２に示すように、カバー１１は、施工面３９上であって、カバー９とカバー１３との間の部分に取り付けられる。カバー１１は、カバー９とカバー１３との間にあるパイプ３を被覆する。
【００２８】
本体部２０１のうち、カバー９側の一部は、カバー９の本体部に上から重なる。フランジ２０３、２０５のうち、カバー９側の一部は、カバー９のフランジに上から重なる。本体部２０１のうち、カバー１３側の一部は、カバー１３の本体部に上から重なる。フランジ２０３、２０５のうち、カバー１３側の一部は、カバー１３のフランジに上から重なる。立設部２０７は、カバー９、１３のフランジの端面に外側から当接する。カバー１１は、カバー９、１３の本体部及びフランジを延長するアタッチメントとして機能する。本体部２０１は、カバー９、１３の本体部を施工面３９に沿って延長する本体延長部として機能する。フランジ２０３、２０５は、カバー９、１３のフランジを施工面３９に沿って延長するフランジ延長部として機能する。
【００２９】
ビス孔２３０を通したビスを施工面３９に打ち込むことで、カバー１１を固定することができる。薄肉部２０９、２１５が隣接するカバー等とぶつかり、カバー１１の設置が妨げられる場合は、薄肉部２０９、２１５の一部又は全部を切り取ることができる。薄肉部２０９，２１５の板厚は薄いため、薄肉部２０９、２１５を切り取ることは容易である。
４．カバー１９、２３について
（４−１）カバー１９の構成
カバー１９、２３は同様の構成を有する。以下では、図１５〜図２０に基づき、カバー１９の構成を説明する。カバー１９は、本体部３０１と、フランジ３０３、３０５と、を備える。本体部３０１は、半割れ円筒状の形態を有する。本体部３０１の高さは、基本的には、本体部３０１の軸方向における一方の端部３１１から、反対側の端部３１３にゆくにつれて増している。ただし、端部３１１の近傍では、本体部３０１の高さは一定である。
【００３０】
フランジ３０３は、本体部３０１における一方の側面側の端部から、外側に延びている。フランジ３０５は、本体部３０１における前記一方とは反対の側面側の端部から、外側に延びている。本体部３０１の軸方向において、フランジ３０３、３０５の長さは、本体部３０１の長さより小さい。本体部３０１の軸方向において、フランジ３０３、３０５の位置は、端部３１１の側に偏った位置である。
【００３１】
フランジ３０３、３０５は、その外側の底面に、立設部３０７を備える。立設部３０７は、カバー１９を取り付ける施工面に向かって延びている。フランジ３０３、３０５には、ビス打ち目安用の凹部３３０が形成されている。ビス打ち目安用の凹部３３０は複数形成されていてもよい。ビス打ち目安用の凹部３３０の代わりに、フランジ３０３、３０５を貫通するビス孔を形成してもよい。
【００３２】
（４−２）カバー１９の施工方法
図１、図２に示すように、カバー１９は、施工面３９上であって、カバー１７とカバー２１との間の部分に取り付けられる。カバー２１の高さは、カバー１７の高さより大きい。カバー１９は、端部３１１がカバー１７の側に位置し、端部３１３がカバー２１の側に位置するように取り付けられる。
【００３３】
カバー１９は、カバー１７とカバー２１との間にあるパイプ３を被覆する。本体部３０１のうち、端部３１１の側の一部は、カバー１７の本体部に上から重なる。本体部３０１のうち、端部３１３の側の一部は、カバー１９の本体部に上から重なる。フランジ３０３、３０５のうち、端部３１１の側の一部は、カバー１７のフランジに上から重なる。カバー１９は、カバー１７、２１の本体部及びフランジを延長するアタッチメントとして機能する。本体部３０１は、カバー１７、１９の本体部を施工面３９に沿って延長する本体延長部として機能する。フランジ３０３、３０５は、カバー１７、２１のフランジを施工面３９に沿って延長するフランジ延長部として機能する。
【００３４】
カバー２１の高さと、カバー１７の高さとが異なる場合でも、カバー１９は、それらの両方に隙間なく重なることができる。ビス孔３３０を通したビスを施工面３９に打ち込むことで、カバー１９を固定することができる。
５．カバー７について
（５−１）カバー７の構成
カバー７の構成を、図２１〜図２６に基づき説明する。カバー７は、本体部４０１と、壁部４０３と、フランジ４０３、４０５と、を備える。
【００３５】
本体部４０１は、半割れ円筒状の形態を有する。本体部４０１の高さは、本体部４０１の軸方向における一方の端部４１１から、反対側の端部４１３まで、一定である。
壁部４０３は、端部４１１から、本体部４０１の内周方向に延びる。壁部４０３の内周縁４１９の形状はＵ字状である。図２４に示すように、側面視において、壁部４０３は傾斜している。傾斜の方向は、壁部４０３上で高さが増すほど、端部４１３に近づく方向である。
【００３６】
フランジ４０３は、本体部４０１における一方の側面側の端部から、外側に延びている。フランジ４０５は、本体部４０１における前記一方とは反対の側面側の端部から、外側に延びている。本体部４０１の軸方向において、フランジ４０３、４０５の長さは、本体部４０１の長さと同じである。
【００３７】
フランジ４０３、４０５は、それぞれ、それらの底面のうち、外側の部分、及び端部４１１の側の部分に、立設部４０７を備える。立設部４０７は、カバー７を取り付ける施工面に向かって延びている。フランジ４０３、４０５の厚み方向から見て、立設部４０７の形状はＬ字状である。立設部４０７は、壁部４０３の底面に、面一となるように連続している。フランジ４０３、４０５には、ビス打ち目安用の凹部４３０が形成されている。ビス打ち目安用の凹部４３０は複数形成されていてもよい。ビス打ち目安用の凹部４３０の代わりに、フランジ４０３、４０５を貫通するビス孔を形成してもよい。
【００３８】
（５−２）カバー７の使用方法
図１、図２に示すように、カバー７は、施工面３９上であって、カバー９と隣接する部分に取り付けられる。カバー７は、端部４１３がカバー９の側に位置するように取り付けられる。カバー７は、カバー９とカバー５との間にあるパイプ３のうち、カバー９の側にある部分を被覆する。パイプ３は内周縁４１９に押し当てられる。
【００３９】
本体部４０１のうち、端部４１３の側の一部は、カバー９の本体部に上から重なる。フランジ４０３、４０５のうち、端部４１３の側の一部は、カバー９のフランジに上から重なる。立設部４０７は、カバー９のフランジの端面に外側から当接する。カバー７は、カバー９の本体部及びフランジを延長するアタッチメントとして機能する。本体部４０１は、カバー９の本体部を施工面３９に沿って延長する本体延長部として機能する。フランジ４０３、４０５は、カバー９のフランジを施工面３９に沿って延長するフランジ延長部として機能する。ビス孔４３０を通したビスを施工面３９に打ち込むことで、カバー７を固定することができる。
【００４０】
６．カバー３１について
（６−１）カバー３１の構成
カバー３１の構成を、図２７〜図３５に基づき説明する。カバー３１は、本体部５０１と、フランジ５０３、５０５と、を備える。
【００４１】
本体部５０１は、半割れ円筒状の基本形態を有する。本体部５０１は、その軸方向における一方の端部５１１の側に位置する第１部５０６と、反対側の端部５１３の側に位置する第２部５０８と、それらの間に位置する周壁部５１０と、を備える。
【００４２】
第１部５０６及び第２部５０８は、それぞれ、半割れ円筒状の形態を有する。第２部５０８の直径は、第１部５０６の直径より大きい。第１部５０６の高さは、軸方向における位置によらず一定である。第２部５０８の高さは、端部５１３に近づくほど低くなっている。周壁部５１０は、第１部５０６及び第２部５０８の外周方向に突出している。
【００４３】
フランジ５０３は、第１部５０６における一方の側面側の端部から、外側に延びている。フランジ５０５は、第１部５０６における前記一方とは反対の側面側の端部から、外側に延びている。第１部５０６の軸方向において、フランジ５０３、５０５の長さは、第１部５０６の長さより小さい。第１部５０６の軸方向において、フランジ５０３、５０５の位置は、周壁部５１０寄りの位置である。
【００４４】
フランジ５０３、５０５は、それぞれ、それらの底面のうち、外側の部分、及び周壁部５１０の側の部分に、立設部５０７を備える。立設部５０７は、カバー３１を取り付ける施工面に向かって延びている。フランジ５０３、５０５の厚み方向から見て、立設部５０７の形状はＬ字状である。フランジ５０３、５０５には、ビス打ち目安用の凹部５３０が形成されている。ビス打ち目安用の凹部５３０は複数形成されていてもよい。ビス打ち目安用の凹部５３０の代わりに、フランジ５０３、５０５を貫通するビス孔を形成してもよい。
【００４５】
（６−２）カバー３１の使用方法
図１、図２に示すように、カバー３１は、施工面３９上であって、カバー２９と、洗濯機用コンセント３３との間に取り付けられる。カバー３１は、端部５１１がカバー２９の側に位置し、端部５１３が洗濯機用コンセント３３の側に位置するように取り付けられる。
【００４６】
第１部５０６のうち、端部５１１の側の一部は、カバー２９の本体部に上から重なる。フランジ５０３、５０５のうち、端部５１１の側の一部は、カバー２９のフランジに上から重なる。立設部５０７は、カバー２９のフランジにおける端面に外側から当接する。
【００４７】
第２部５０８は、開口部４３に差し込まれる。周壁部５１０は、洗濯機用コンセント３３の側面のうち、開口部４３の周囲の部分に外側から当接する。カバー３１は、カバー２９の本体部及びフランジを延長するアタッチメントとして機能する。第１部５０６は、カバー２９の本体部を施工面３９に沿って延長する本体延長部として機能する。フランジ５０３、５０５は、カバー２９のフランジを施工面３９に沿って延長するフランジ延長部として機能する。カバー２９の径と、開口部４３の径とが異なる場合でも、カバー３１を用いれば、カバー２９と洗濯機用コンセント３３との間のパイプ３を被覆できる。
洗濯機用コンセント３３に対し、カバー３１に代えて、他のアタッチメントを使用してもよい。他のアタッチメントは、例えば、カバー２９の形状、大きさ等に応じて適宜選択することができる。また、カバー２９を使用しない場合、パイプ３の種類、形状、大きさ等に応じて、他のアタッチメントを適宜選択することができる。他のアタッチメントとして、例えば、株式会社オンダ製作所が発行する「総合カタログ２０１７−２０１８ＶＯＬ３７」の第１３０頁に記載されているアタッチメント等が挙げられる。
【００４８】
７．他の実施形態
以上、本開示の実施形態について説明したが、本開示は上述の実施形態に限定されることなく、種々変形して実施することができる。
【００４９】
（１）カバー５、７、１１、１５、１９、２３、２７、３１の形態は、他の形態であってもよい。例えば、図３６、図３７に示すように、カバー１１のフランジ２０３、２０５において、立設部２０７は、端部２１３の側では形成されていなくてもよい。この場合、カバー９のフランジ９Ｂが、フランジ２０３、２０５よりも外側に延びていても、フランジ２０３、２０５のうち、立設部２０７が形成されていない部分を、フランジ９Ｂに上から重ねることができる。また、フランジ２０３、２０５の全体にわたって立設部２０７が設けられている場合に比べて、本体部２０１と、カバー９の本体部９Ａとが重なる部分を広くすることができる。
【００５０】
（２）図３８、図３９、図４０に示すように、薄肉部２１５は、端部２１１側の角と端部２１３側の角との両方に備えられていてもよい。さらに、薄肉部２１５のうち、本体部２０１の軸方向における端部が、本体部２０１の裏面側に曲折されていてもよい。曲折された端部の端面は、本体部２０１の裏面と面一に形成されている。この場合、薄肉部２１５を切り取らずにカバー１１を設置しても、薄肉部２１５とカバー９の本体部９Ａとの隙間が外側から見えないため、見栄えがよい。なお、本体部２０１の裏面のうち、側面中央には、製造に利用するための複数（本実施形態においては３本）の突条２１７が、本体部２０１の軸方向に延設されている。また、フランジ２０３、２０５は、薄肉部２０９の代わりに、その裏面のうち、本体部２０１の軸方向における両端部からそれぞれ所定の間隔を置いて、切断目安用の溝２１９を備えている。切断目安用の溝２１９は、立設部２０７の内側にも形成されている。
【００５１】
（３）カバー７、１１、１５、１９、２３、２７、３１は、以下のアタッチメントに対応する。アタッチメントは、カバーに用いられる。そのカバーは、本体部と、フランジ部とを備える。カバーの本体部は、壁面に沿って設けられる管を、前記壁面との間に挟んで外側から覆う。カバーのフランジ部は、カバーの本体部の両側縁部からそれぞれ外側に向けて延出され、前記壁面に取り付けられる。
アタッチメントは、本体延長部と、フランジ延長部とを備える。本体延長部は、カバーの本体部を前記壁面に沿って延長する。フランジ延長部は、カバーのフランジ部を前記壁面に沿って延長する。
【００５２】
（４）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００５３】
（５）上述したカバーの他、当該カバーを構成要素とするシステム、カバーを延長するアタッチメント、配管システム等、種々の形態で本開示を実現することもできる。
【００５４】
［付記］
前記実施形態から把握できる技術的思想について記載すると、配管を覆うカバーであって、半割れ円筒状の本体部の角に薄肉部を備え、前記薄肉部のうち、前記本体部の軸方向における端部が、前記本体部の裏面側に曲折されているカバー。
【符号の説明】
【００５５】
１…配管システム、３…パイプ、５、７、９、１１、１３、１５、１７、１９、２１、２３、２５、２７、２９、３１…カバー、９Ａ…本体部、９Ｂ…フランジ、３３…洗濯機用コンセント、３５…水栓、３７、３９、４１…施工面、４３…開口部、１０１…本体部、１０３…壁部、１０５…フランジ、１０５Ａ…第１部、１０５Ｂ…第２部、１０５Ｃ…第３部、１０５Ｄ…延出部、１０７、１０９…リブ、１１１、１１３、１１５…端部、１１７…接続部、１１９…内周縁、１１９Ａ…対向部、１２１…出口部、１２３、１２５、１２７…辺、１２９…頂点、１３０…ビス打ち目安用の凹部、１３１…孔、１３３…被覆材、２０１…本体部、２０３、２０５…フランジ、２０７…立設部、２０９…薄肉部、２１１、２１３…端部、２３０…ビス打ち目安用の凹部、３０１…本体部、３０３、３０５…フランジ、３０７…立設部、３１１、３１３…端部、３３０…ビス打ち目安用の凹部、４０１…本体部、４０３…壁部、４０３、４０５…フランジ、４０７…立設部、４１１、４１３…端部、４１９…内周縁、４３０…ビス打ち目安用の凹部、５０１…本体部、５０３、５０５…フランジ、５０６…第１部、５０７…立設部、５０８…第２部、５１０…周壁部、５１１、５１３…端部、５３０…ビス打ち目安用の凹部
【図１】
2020056494.tif 000003
【図２】
2020056494.tif 000004
【図３】
2020056494.tif 000005
【図４】
2020056494.tif 000006
【図５】
2020056494.tif 000007
【図６】
2020056494.tif 000008
【図７】
2020056494.tif 000009
【図８】
2020056494.tif 000010
【図９】
2020056494.tif 000011
【図１０】
2020056494.tif 000012
【図１１】
2020056494.tif 000013
【図１２】
2020056494.tif 000014
【図１３】
2020056494.tif 000015
【図１４】
2020056494.tif 000016
【図１５】
2020056494.tif 000017
【図１６】
2020056494.tif 000018
【図１７】
2020056494.tif 000019
【図１８】
2020056494.tif 000020
【図１９】
2020056494.tif 000021
【図２０】
2020056494.tif 000022
【図２１】
2020056494.tif 000023
【図２２】
2020056494.tif 000024
【図２３】
2020056494.tif 000025
【図２４】
2020056494.tif 000026
【図２５】
2020056494.tif 000027
【図２６】
2020056494.tif 000028
【図２７】
2020056494.tif 000029
【図２８】
2020056494.tif 000030
【図２９】
2020056494.tif 000031
【図３０】
2020056494.tif 000032
【図３１】
2020056494.tif 000033
【図３２】
2020056494.tif 000034
【図３３】
2020056494.tif 000035
【図３４】
2020056494.tif 000036
【図３５】
2020056494.tif 000037
【図３６】
2020056494.tif 000038
【図３７】
2020056494.tif 000039
【図３８】
2020056494.tif 000040
【図３９】
2020056494.tif 000041
【図４０】
2020056494.tif 000042